(57)【要約】  【課題】安価な手段で偏重心ディスク等の回転による振動を抑制する光記録再生装置を提供することを目的とする。  【解決手段】記録再生装置は、ディスクを回転させるスピンドルモータ４３と、ディスクが備える情報層に光スポットを照射する光ピックアップ３９と、光ピックアップ３９をディスクの内外周に移動させるモータ４０とを備えた光記録再生ドライブユニット３３と、相独立した複数の粘弾性部材３６を介して光記録再生ドライブユニット３３に取付けた板部材３５と、光記録再生ドライブユニット３３を外装フレーム３１に固定する外装フレームアングル３４とを備えることにより、板部材、粘弾性部材の形状の自由度が増し、従来構成よりさらに高帯域振動を減衰させることができ、共振音の発生を低減あるいは解消することができる。【選択図】図１
2007128600.tif 000002
【特許請求の範囲】
【請求項１】
情報媒体を回転させる回転手段と、前記情報媒体が備える情報層に光スポットを照射する光ピックアップと、前記光ピックアップを前記情報媒体の内外周に移動させる移動手段とを備えた光記録再生アセンブリと、
前記光記録再生アセンブリを取付ける筐体と、
相独立した複数の粘弾性部材を介して前記筐体に取付けた板部材と、
前記筐体を外装フレームに固定する外装フレーム固定手段と
を備えた記録再生装置。
【請求項２】
前記外装フレームに固定された接触型記録再生ユニットをさらに備えた請求項１記載の記録再生装置。
【請求項３】
前記複数の粘弾性部材の少なくとも１つは、前記板部材に嵌合し、前記筐体から遊離した粘弾性部材である請求項１または請求項２に記載の記録再生装置。
【発明の詳細な説明】
【技術分野】
【０００１】
本発明は、ＤＶＤレコーダー等に用いることができる光記録再生装置に関するものである。
【背景技術】
【０００２】
近年、ＤＶＤ（デジタル多用途ディスク）に映像音声を記録再生する機器が増えてきており、従前から大幅に普及していたアナログ式ビデオテープレコーダーに代わって、記録再生装置のトレンドとなりつつある。そのような中、使用者が今までビデオテープに記録してきた映像音声を、ＤＶＤなどの光学式ディスクにダビングするニーズが高まっている。それを容易に達成するために、ディスクとビデオテープとを同一筐体内に装填可能な製品が出てきている。ディスクへの記録再生を行うディスクユニットとビデオテープへの記録再生を行うビデオユニットとを同一筐体内に収めた場合、ディスクユニットで生じる振動が、ビデオユニットにおける記録再生に影響を及ぼすことがあり、例えば再生時の表示画面が乱れる等の現象が発生する。
【０００３】
光記録再生装置における光記録再生ドライブユニットの振動を抑止する方法として、いくつかの提案がされており、例えば特開平６−２９５５７６号公報においては、粘弾性材と拘束板とを一体化した制振材を、光ディスクドライブ装置のデッキベースの裏側に設けることによって、振動を抑制している。
【特許文献１】特開平６−２９５５７６号公報
【発明の開示】
【発明が解決しようとする課題】
【０００４】
しかしながら上記従来の構成では、粘弾性材と拘束板とが一体化した制振材を設けた構成からなり、装置の振動に対して、粘弾性材の剪断応力が発生し、振動エネルギーを熱エネルギーに変換することによって振動を抑止しているが、光ディスクの回転高速化に伴う振動の増加に対して、十分な振動抑止効果を得ることができないという課題があった。さらに、粘弾性材と拘束板とが一体化した構成であるために、設置をするにあたってスペース、形状的に非常に制約を受けるという課題を有していた。
【０００５】
本発明は上記従来の課題を解決するものであり、光ディスク記録再生ユニットが発生する振動を抑止する光記録再生装置を提供することを目的とする。
【課題を解決するための手段】
【０００６】
この目的を達成するために本発明の光記録再生装置は、情報媒体を回転させる回転手段と、前記情報媒体が備える情報層に光スポットを照射する光ピックアップと、前記光ピックアップを前記情報媒体の内外周に移動させる移動手段とを備えた光記録再生アセンブリと、前記光記録再生アセンブリを取付ける筐体と、相独立した複数の粘弾性部材を介して前記筐体に取付けた板部材と、前記筐体を外装フレームに固定する外装フレーム固定手段とを備える。
【発明の効果】
【０００７】
本発明の記録再生装置は、相独立した複数の粘弾性部材を介して筐体に板部材を取り付けることによって、板部材、粘弾性部材の形状の自由度が増し、板部材の振動により、従来構成よりさらに高帯域振動を減衰させることができるため、共振音の発生がなく、回転の高速化に伴い増加する光ディスク記録再生ユニットの振動を、抑止することができる。
【０００８】
さらに、ビデオ等の他の記録再生ユニットを一体化した装置においては、光ディスク記録再生ユニットの振動により、ビデオ等の表示再生画面が乱れるという現象を回避することができる。
【発明を実施するための最良の形態】
【０００９】
本発明の光記録再生装置は、情報媒体を回転させる回転手段と、前記情報媒体が備える情報層に光スポットを照射する光ピックアップと、前記光ピックアップを前記情報媒体の内外周に移動させる移動手段とを備えた光記録再生アセンブリと、前記光記録再生アセンブリを取付ける筐体と、相独立した複数の粘弾性部材を介して前記筐体に取付けた板部材と、前記筐体を外装フレームに固定する外装フレーム固定手段とを備える。これにより、板部材、粘弾性部材の形状の自由度が増し、従来構成よりさらに高帯域振動を減衰させることができるため、共振音の発生がなく、回転の高速化に伴い増加する光ディスク記録再生ユニットの振動を、抑止することができる。
【００１０】
上記の構成にかかる本発明の記録再生装置は、前記外装フレームに固定された接触型記録再生ユニットをさらに備えるとしても良い。これにより、光記録再生アセンブリで発生する振動による、接触型記録再生ユニットの再生時の画質・音質低下等の悪影響を抑止することができる。
【００１１】
上記の構成にかかる本発明の記録再生装置は、前記複数の粘弾性部材の少なくとも１つは、前記板部材に嵌合し、前記筐体から遊離した粘弾性部材であるとしても良い。これにより、板部材の振動で、従来構成より大幅に高帯域振動を減衰させることができるため、共振音の発生がなく、回転の高速化に伴い増加する光ディスク記録再生ユニットの振動を、抑止することができる。
【００１２】
以下、本発明の実施の形態について、図面を用いて詳細に説明する。
【００１３】
図1は本発明の一実施の形態における記録再生装置の側面図、図２は上面図を示したものである。本実施の形態における記録再生装置は、光記録再生とアナログ磁気記録再生との両方の機能を備えている。図１、図２において、３１は外装フレーム、３２はアナログ磁気記録再生ユニット、３３は光記録再生ドライブユニット、３４は外装フレームアングル、３５は板部材、３６は粘弾性部材である。
【００１４】
本実施の形態では、接触型記録再生ユニットとして、アナログ式のビデオテープレコーダーであるアナログ磁気記録再生ユニットを用いており、テープカセットを移動案内させる機構、テープをカセットから引き出し／収納するローディング機構、テープに対して信号の記録再生を行う回転ヘッドシリンダなどから構成される。
【００１５】
なお、本実施の形態では、接触型記録再生ユニットとしてアナログ磁気記録再生ユニットを用いているが、これに限定されるものではなく、例えばデジタル式ＶＴＲ等を用いても良い。
【００１６】
光記録再生ドライブユニット３３は、外装フレーム３１に固定された外装フレームアングル３４上に固定され、アナログ磁気記録再生ユニット３２は、外装フレーム３１に固定される。なお、外装フレームアングル３４は、外装フレーム固定手段の一つであり、本実施の形態における形状、個数、あるいは設置場所に限定されるものではない。
【００１７】
図１における光記録再生ドライブユニット３３をより詳細に表示したものを図３に示す。図３において、粘弾性部材３６は、その胴部が板部材３５に固定されており、その上端面が光記録再生ドライブユニット３３の下端に取り付けられている。
【００１８】
光記録再生ドライブユニット３３の下面図（図１におけるＱ矢視図）を図４に示す。粘弾性部材３６は、本実施の形態では略円筒形状を成しているが、この形状に限られるものではなく、例えば略直方体形状でも良い。粘弾性部材３６は、図４に示すように板部材３５における対向する縁部３カ所に配されており、光記録再生ドライブユニット３３の下端への取り付け方法が相違する粘弾性部材３６ａと粘弾性部材３６ｂとにより構成される。粘弾性部材３６ａは光記録再生ドライブユニット３３の下端に固定される一方、粘弾性部材３６ｂは光記録再生ドライブユニット３３の下端に固定されず、遊離した状態にある。なお、粘弾性部材３６ａ及び３６ｂは、それぞれ少なくても１個存在するが、その個数や設置場所については、本実施の形態に限定するものではない。また、本実施の形態では、板部材３５は略正方形状を成しているが、この形状に限られるものではなく、略長方形状や略円形状でも良い。
【００１９】
次に光記録再生ドライブユニット３３の詳細について、図５、図６を用いて説明する。図５、図６において、３８はディスク（図示せず）を保持するターンテーブル、４３はターンテーブル３８を高速回転させることにより、ディスクを回転させる回転手段であるスピンドルモータ、３９はディスクが備える情報層に光スポットを照射し、映像音声信号などの各種情報信号を記録再生するための光ピックアップ、４０は光ピックアップ３９等をディスクの半径方向（内外周）に移動させる移動手段であるモータ、４１はターンテーブル３８とスピンドルモータ４３と光ピックアップ３９とモータ４０を固定するシャーシである。
【００２０】
粘弾性部材３７は、図５に示すようにその胴部がシャーシ４１に固定され、その下端がフレーム４２に固定されている。また、粘弾性部材３７は、本実施の形態では略円筒形状でかつ中央に貫通孔を有した形状を成しており、図６に示すようにシャーシ４１における対向する縁部に３カ所配されている。なお、この形状や個数や設置箇所については本実施の形態に限定されるものではない。
【００２１】
４２は、シャーシ４１を粘弾性部材３７を介してビスにより保持固定するフレームである。フレーム４２は、図６に示すように略四角形を成しており、その各角部には外装フレームアングル３４にビスにより固定するための固定部がそれぞれ設けられている。
【００２２】
なお、粘弾性部材３６と粘弾性部材３７の材料としては、一般的な弾性材料であるゴムが用いられ、本実施の形態ではシリコン系ゴムを用いている。また、粘弾性部材３６と粘弾性部材３７に用いる材料は必ずしも同じ材料を用いる必要はなく、粘弾性部材３６はシリコン系ゴム、粘弾性部材３７はスチレン系ゴムを用いるなど、異なる材料を用いてもよい。
【００２３】
以上のように構成された本実施の形態について、以下にその動作について説明する。
【００２４】
ディスクをターンテーブル３８に装着し、スピンドルモータ４３でターンテーブル３８を回転させることで、ディスクを回転させることができる。その回転しているディスクに対して、光ピックアップ３９によりレーザー光を照射することで、映像音声信号などの各種情報信号をディスクに対して記録再生することができる。
【００２５】
一方、アナログ磁気記録再生ユニット３２においては、アナログ記録が可能なビデオテープカセットを装填し、カセットから記録媒体（テープ）を引き出し、磁気ヘッドが搭載された回転シリンダに巻き付けることで、テープに対して映像音声信号などの各種情報信号の記録再生が可能となる。
【００２６】
次に、偏重心ディスクなどを光記録再生ドライブユニット３３で回転させた時の動作について説明する。
【００２７】
偏重心ディスクとは、その重心がディスク中央ではなく、偏心した位置にあるディスクのことである。例えば表裏張り合わせよりなるディスクにおいて、張り合わせの位置精度が悪く、ディスクの半径方向に位置がずれた状態のディスクのことであり、このようなディスクをターンテーブル３８に装着して高速回転させた場合に、不要な振動が発生する。
【００２８】
上記のような偏重心ディスク等をターンテーブル３８に装着し、スピンドルモータ４３でターンテーブル３８を回転させると、正常なディスクを回転させた時に発生する振動以外に、不要な振動がターンテーブル３８に発生する。ターンテーブル３８に発生した振動は、スピンドルモータ４３を介してシャーシ４１に伝達される。シャーシ４１に伝達された振動は、粘弾性部材３７に伝えられ減衰されるが、減衰できずに残ってしまった振動は、フレーム４２に伝達され光記録再生ドライブユニット３３全体が振動することとなる。本実施の形態では、光記録再生ドライブユニット３３の振動に対して、粘弾性部材３６を介して光記録再生ドライブユニット３３に取り付けられた板部材３５が、振動をキャンセルする方向に作用し、振動を吸収する。よって、外装フレームアングル３４、外装フレーム３１、アナログ磁気記録再生ユニット３２、その他の部品には、振動は伝わらず、アナログ磁気記録再生ユニットの動作に影響を及ぼす状況は発生しない。
【００２９】
以上のように本実施の形態によれば、光記録再生ドライブユニット３３に粘弾性部材３６を介して板部材３５を取り付けることにより、板部材、粘弾性部材の形状の自由度が増し、板部材３５の振動により、従来構成よりさらに高帯域振動を減衰させることができるため、共振音の発生を低減あるいは解消することができる。
【００３０】
また、アナログ磁気記録再生時の出力映像への振動による悪影響がないため、従来のようなアナログ磁気記録再生時における、ジッタノイズなどによる画質・音質低下を低減あるいは解消することができる。
【００３１】
本実施の形態では、アナログ磁気記録再生ユニットと光記録再生ドライブユニットとが同一筐体内に収められた機器に関して説明をしているが、これらのユニットに限定されるものではなく、光記録再生ドライブユニットが２基搭載されたものに利用しても有効である。
【００３２】
また、一方がハードディスクドライブ（ＨＤＤ）である機器に利用しても有効である。
【００３３】
また、光記録再生ドライブユニットはＤＶＤに限ることなく、光学式による信号の記録再生を行うものであればよい。
【産業上の利用可能性】
【００３４】
本発明は、安価な手段で偏重心ディスク等の回転による振動を抑制することができるため、ＤＶＤレコーダー等のディスクメディアを使用する光記録再生装置において有用である。
【００３５】
さらに、ビデオ等の他の記録再生ユニットと一体化した装置においては、光ディスクユニットの振動による、他の記録再生ユニットの動作時の影響を回避することができるために、特に有用である。
【図面の簡単な説明】
【００３６】
【図１】本発明の一実施の形態における光記録再生とアナログ磁気記録再生の一体装置の側面図
【図２】同実施の形態における光記録再生とアナログ磁気記録再生の一体装置の上面図
【図３】同実施の形態における光記録再生ドライブユニット関連の側面詳細図
【図４】同実施の形態における光記録再生ドライブユニット関連の下面図
【図５】同実施の形態における光記録再生ドライブユニットの側面詳細図
【図６】同実施の形態における光記録再生ドライブユニットの上面詳細図
【符号の説明】
【００３７】
３１  外装フレーム
３２  アナログ磁気記録再生ユニット
３３  光記録再生ドライブユニット
３４  外装フレームアングル
３５  板部材
３６  粘弾性部材
３６ａ、ｂ  粘弾性部材
３７  粘弾性部材
３８  ターンテーブル
３９  光ピックアップ
４０  モータ
４１  シャーシ
４２  フレーム
４３  スピンドルモータ
【図１】
2007128600.tif 000003
【図２】
2007128600.tif 000004
【図３】
2007128600.tif 000005
【図４】
2007128600.tif 000006
【図５】
2007128600.tif 000007
【図６】
2007128600.tif 000008